(57)【要約】【課題】一対の揺動バーが、前脚フレーム及び後脚フレームの床面に対向する部分に、固着手段により取り外し自在に直接取り付けられるロッキング椅子を提供する。【解決手段】本発明は、座部フレーム１４とバックレストフレーム１３とアームレスト１７と前脚フレーム１５と後脚フレーム１６とを有するロッキング椅子フレーム１１に、一対の揺動バー３０，３０が取り付けられるロッキング椅子１０であって、  前脚フレーム１５及び後脚フレーム１６は、金属製のパイプを折り曲げて上方が開放するＵ字状に形成され、一対の揺動バー３０，３０は、前脚フレーム１５及び後脚フレーム１６の床面に対向する部分に、固着手段４０により取り外し自在に直接取り付けられる。【選択図】図１
2013240461.tif 000002
【特許請求の範囲】
【請求項１】
座部フレームとバックレストフレームとアームレストと前脚フレームと後脚フレームとを有する椅子に、一対の揺動バーが取り付けられるロッキング椅子であって、
前記前脚フレーム及び前記後脚フレームは、金属製のパイプを折り曲げて上方が開放するＵ字状に形成され、
前記一対の揺動バーは、前記前脚フレーム及び前記後脚フレームの床面に対向する部分に、固着手段により取り外し自在に直接取り付けられることを特徴とするロッキング椅子。
【請求項２】
前記固着手段は、ボルトとナットから構成されることを特徴とする請求項１に記載のロッキング椅子。
【請求項３】
前記固着手段は、ボルトと前記一対の揺動バーに埋め込まれた埋め込みナットから構成されることを特徴とする請求項１に記載のロッキング椅子。
【請求項４】
前記固着手段は、ボルトと前記前脚フレーム及び前記後脚フレームにに形成された雌ねじ部から構成されることを特徴とする請求項１に記載のロッキング椅子。
【請求項５】
前記一対の揺動バーは、下方に向けて曲率半径の比較的大きい凸曲面を有する円弧形状を呈しており、その後端側は上方に向けて曲率半径の比較的小さい凸曲面を有する円弧形状の反転円弧部を備えていることを特徴とする請求項１に記載のロッキング椅子。
【請求項６】
前記ロッキング椅子は、レッグレストフレームを備え、前記アームレストの操作により前記バックレストフレームを傾倒・起立させるようにしたアームレスト操作式のリクライニング機能を有し、
前記座部フレームは、前記バックレストフレームの下端部に後端部位が第４ピンにより枢支され、
前記前脚フレームと前記後脚フレームとの左右上方端部の交差部を第１ピンにより枢支し、
前記アームレストは、後端側を第２ピンにより前記バックレストフレームに枢支され、前端側を上方に回転可能とし且つ内部に前記交差部の前記第１ピンを所望の位置に係止可能とした係止部を有し、
前記レッグレストフレームは、前記座部フレームの前方から引き出し可能であることを特徴とする請求項１ないし請求項５のいずれか一項に記載のロッキング椅子。
【請求項７】
引き出し可能な前記レッグレストフレームは、前記座部フレームの下方に収納されていることを特徴とする請求項６に記載のロッキング椅子。
【請求項８】
前記座部フレームは、その対向する側部の略中間部の前側部位が第３ピンによって前記前脚フレームの略中間部に枢支され、その対向する側部の後端部位が前記第４ピンによって前記バックレストフレームの下端近傍に枢支され、前記後脚フレームの略中間部よりやや下方の部位が第５ピンによって連結リンクに枢支され、前記一対の揺動バーを取り外すと、前記交差部にある前記第１ピンないし前記第５ピンを枢軸として、前記一対の揺動バー以外が折り畳まれることを特徴とする請求項６または請求項７に記載のロッキング椅子。
【発明の詳細な説明】
【技術分野】
【０００１】
本発明は、ロッキング椅子に関するもので、詳しくは、ロッキング椅子の前脚フレーム及び後脚フレームの床面に対向する部分が、一対の揺動バーに固着手段により取り外し自在に直接取り付けられるロッキング椅子に関するものである。
【背景技術】
【０００２】
従来、一対の接地板（本発明の一対の揺動バーに対応）が板部材を介して前後の支持脚にねじ部材（本発明の固着手段に対応）により取り付けられるロッキング機能を有する椅子が提案されている（特許文献１参照）。
【先行技術文献】
【特許文献】
【０００３】
【特許文献１】特開平９−３７５号公報
【発明の概要】
【発明が解決しようとする課題】
【０００４】
しかし、上記特許文献１に記載のロッキング機能を有する椅子は、一対の接地板（本発明の一対の揺動バーに対応）が板部材を介して前後の支持脚にねじ部材（本発明の固着手段に対応）により間接的に取り付けられるので、一対の接地板（本発明の一対の揺動バーに対応）を前後の支持脚に取り付けるために板部材を使用しており、それだけ余分な部品（板部材）を必要とする、という問題がある。
また、前後の支持脚の先端は、板部材の上面の当接するように取り付けられることになるので、一対の接地板（本発明の一対の揺動バーに対応）に対して、前後の支持脚を安定的かつ強固に取り付けられない、という問題がある。
【０００５】
そこで、本発明は、一対の揺動バーが、前脚フレーム及び後脚フレームの床面に対向する部分に、固着手段により取り外し自在に直接取り付けられるロッキング椅子を提供することを課題とするものである。
【課題を解決するための手段】
【０００６】
すなわち、本発明は、（１）、座部フレームとバックレストフレームとアームレストと前脚フレームと後脚フレームとを有する椅子に、一対の揺動バーが取り付けられるロッキング椅子であって、前記前脚フレーム及び前記後脚フレームは、金属製のパイプを折り曲げて上方が開放するＵ字状に形成され、前記一対の揺動バーは、前記前脚フレーム及び前記後脚フレームの床面に対向する部分に、固着手段により取り外し自在に直接取り付けられるロッキング椅子に存する。
【０００７】
また、本発明は、（２）、前記固着手段は、ボルトとナットから構成される上記（１）に記載のロッキング椅子に存する。
【０００８】
また、本発明は、（３）、前記固着手段は、ボルトと前記一対の揺動バーに埋め込まれた埋め込みナットから構成される上記（１）に記載のロッキング椅子に存する。
【０００９】
また、本発明は、（４）、前記固着手段は、ボルトと前記前脚フレーム及び前記後脚フレームに形成された雌ねじ部から構成される上記（１）に記載のロッキング椅子に存する。
【００１０】
また、本発明は、（５）、前記一対の揺動バーは、下方に向けて曲率半径の比較的大きい凸曲面を有する円弧形状を呈しており、その後端側は上方に向けて曲率半径の比較的小さい凸曲面を有する円弧形状の反転円弧部を備えている上記（１）に記載のロッキング椅子に存する。
【００１１】
また、本発明は、（６）、前記ロッキング椅子は、レッグレストフレームを備え、前記アームレストの操作により前記バックレストフレームを傾倒・起立させるようにしたアームレスト操作式のリクライニング機能を有し、前記座部フレームは、前記バックレストフレームの下端部に後端部位が第４ピンにより枢支され、前記前脚フレームと前記後脚フレームとの左右上方端部の交差部を第１ピンにより枢支し、前記アームレストは、後端側を第２ピンにより前記バックレストフレームに枢支され、前端側を上方に回転可能とし且つ内部に前記交差部の前記第１ピンを所望の位置に係止可能とした係止部を有し、前記レッグレストフレームは、前記座部フレームの前方から引き出し可能である上記（１）ないし上記（５）のいずれか一つに記載のロッキング椅子に存する。
【００１２】
また、本発明は、（７）、引き出し可能な前記レッグレストフレームは、前記座部フレームの下方に収納されている上記（６）に記載のロッキング椅子に存する。
【００１３】
また、本発明は、（８）、前記座部フレームは、その対向する側部の略中間部の前側部位が第３ピンによって前記前脚フレームの略中間部に枢支され、その対向する側部の後端部位が第４ピンによって前記バックレストフレームの下端近傍に枢支され、前記後脚フレームの略中間部よりやや下方の部位が第５ピンによって連結リンクに枢支され、前記一対の揺動バーを取り外すと、前記交差部にある前記第１ピンないし前記第５ピンを枢軸として、前記一対の揺動バー以外が折り畳まれる上記（６）または上記（７）に記載のロッキング椅子に存する。
【発明の効果】
【００１４】
本発明によれば、次のような効果を有する。
【００１５】
座部フレームとバックレストフレームとアームレストと前脚フレームと後脚フレームとを有する椅子に、一対の揺動バーが取り付けられるロッキング椅子であって、前記前脚フレーム及び前記後脚フレームは、金属製のパイプを折り曲げて上方が開放するＵ字状に形成され、前記一対の揺動バーは、前記前脚フレーム及び前記後脚フレームの床面に対向する部分に、固着手段により取り外し自在に直接取り付けられているので、前記一対の揺動バーを取り付けるのに、余分な部品を必要としないだけでなく、前記一対の揺動バーに対して、前記前脚フレーム及び前記後脚フレームを安定的かつ強固に取り付けることができる。
特に、前脚フレームと後脚フレームはＵ字状に形成されているので一対の揺動バー３０が取り付けられた場合、全体の枠構造が強固となる。
【００１６】
また、前記一対の揺動バーは、下方に向けて曲率半径の比較的大きい凸曲面を有する円弧形状を呈しており、その後端側は上方に向けて曲率半径の比較的小さい凸曲面を有する円弧形状の反転円弧部を備えているので、前記ロッキング椅子を使用して揺動させるとき、この反転円弧部の後端が床面に当接し、後方への転倒を防止できる。
【図面の簡単な説明】
【００１７】
【図１】図１は、本発明の実施の形態に係るロッキング椅子の概略斜視図である。
【図２】図２は、図１のロッキング椅子からクッション部を取り外した概略斜視図である。
【図３】図３は、図１のロッキング椅子のクッション部の概略斜視図である。
【図４】図４は、図２のロッキング椅子の概略側面図である。
【図５】図５は、一対の揺動バーの斜視図である。
【図６】図６は、六角穴付きボルトと袋ナットから構成される固着手段と揺動バーと前脚フレームまたは後脚フレームの関係を示す概略図で、図６（Ａ）は分解図であり、図６（Ｂ）は固着手段を締め付けた断面図である。
【図７】図７は、六角穴付きボルトと揺動バーに埋め込まれた埋め込みナットから構成される固着手段と揺動バーと前脚フレームまたは後脚フレームの関係を示す概略図で、図７（Ａ）は分解図であり、図７（Ｂ）は固着手段を締め付けた断面図である。
【図８】図８は、六角穴付きボルトと揺動バーに形成された雌ねじ部から構成される固着手段と揺動バーと前脚フレームまたは後脚フレームの関係を示す概略図で、図８（Ａ）は分解図であり、図８（Ｂ）は固着手段を締め付けた断面図である。
【図９】図９は、図４においてＸ方向から見た部分拡大図である。
【図１０】図１０は、図１、図２、図４に示すアームレストを示し、図１０（Ａ）はその係止部を含む断面図で、図１０（Ｂ）はその底面図である。
【図１１】図１１は、図２、図４の座部フレームを示し、図１１（Ａ）はその平面図で、図１１（Ｂ）はその側面図である。
【図１２】図１２は、図４のレッグレストフレームを示し、図１２（Ａ）はその平面図で、図１２（Ｂ）はその側面図で、図１２（Ｃ）はその端面図である。
【図１３】図１３は、図１１の座部フレームと図１２のレッグレストフレームを組み立てた状態を示し、図１３（Ａ）はその平面図で、図１３（Ｂ）はその側面図で、図１３（Ｃ）は図１３（Ａ）及び図１３（Ｂ）に示すレッグレストフレームが座部フレーム１４の下方に完全に押し込まれた状態を示す側面図である。
【図１４】図１４は、図２のロッキング椅子から揺動バーを取り外したロッキング椅子を折り畳んだ状態を示し、図１４（Ａ）はその側面図で、図１４（Ｂ）は図１４（Ａ）に示す折り畳み状態の上にクッション部を載置した状態を示すその側面図である。
【発明を実施するための形態】
【００１８】
本発明の実施の形態に係るロッキング椅子１０について図面を参照して以下に説明する。
【００１９】
本発明の実施の形態に係るロッキング椅子１０は、図１、図２、図３に示すように、ロッキング椅子フレーム１１と取り外し可能なクッション部材１２とを有している。
【００２０】
図１に示すように、ロッキング椅子１０は、座部フレーム１４とバックレストフレーム１３とアームレスト１７と前脚フレーム１５と後脚フレーム１６とを有するリクライニング機能を有するロッキング椅子フレーム１１に、一対の揺動バー３０，３０が取り付けられるロッキング椅子１０である。
【００２１】
図１、図２に示すように、前脚フレーム１５及び後脚フレーム１６は、金属製のパイプを折り曲げて上方が開放するＵ字状に形成されている。
そして、ロッキング椅子１０は、図１、図２、図４に示すように、一対の揺動バー３０，３０が、前脚フレーム１５及び後脚フレーム１６の床面に対向する部分に、固着手段４０により取り外し自在に直接取り付けられる。
【００２２】
一対の揺動バー３０，３０は、図５に示すように、前脚フレーム１５及び後脚フレーム１６の嵌め込み溝３０ａが２箇所形成されている。
この嵌め込み溝３０ａは、内側が傾斜の大きい曲面を有しており、これにより、前脚フレーム１５と後脚フレーム１６とが内側方向に強い力を受けても閉じることはない。
また、一対の揺動バー３０，３０は、下方に向けて曲率半径の比較的大きい凸曲面を有する円弧形状を呈しており、その後端側は上方に向けて曲率半径の比較的小さい凸曲面を有する円弧形状の反転円弧部３０ｆを備えている。
この反転円弧部３０ｆを備えることで極端に後方へ倒れる力が作用した場合、その転倒を阻止する。
そして、一対の揺動バー３０，３０の嵌め込み溝３０ａ，３０ａに、前脚フレーム１５及び後脚フレーム１６の床面に対向する部分を嵌め込んだ後に、後述する固着手段４０により取り外し自在に直接取り付ける。
【００２３】
一対の揺動バー３０，３０を前脚フレーム１５に直接取り付ける固着手段４０について、図６、図７、図８に示すいずれにも使用することができる。
図６においては、固着手段４０として、六角穴付きボルト４１と袋ナット４２と座金４４とばね座金４５を使用している。
【００２４】
図７においては、固着手段４０として、六角穴付きボルト４１と揺動バー３０に埋め込まれた埋め込みナット４３と座金４４とばね座金４５を使用している。
【００２５】
図８においては、固着手段４０として、六角穴付きボルト４１と前脚フレーム１４に形成された雌ねじ部１５ａと座金４４とばね座金４５を使用している。
いずれも座ぐり部３０ｃを大きく形成してボルトの頭が揺動バー３０，３０の底面より突出しないようにすることが必要である。
また、座ぐり部３０ｃの天井面が傾斜しているので、前脚フレーム１５或いは後脚フレーム１６の下面が対応して当接することができる。
従って傾斜した前脚フレーム１５と後脚フレーム１６に力が加わっても的確に揺動バー３０でそれを受け止めることができ、取り付けも安定したものとなる。
【００２６】
なお、図６、図７、図８に示すものにおいては、いずれも好ましくは座金４４とばね座金４５を併用しているが、座金４４とばね座金４５は必須の部品ではない。
また、揺動バー３０，３０を後脚フレーム１６に取り付ける場合は、座ぐり部３０ｃの天井面の傾斜が逆になるようにして取り付けることとなる。
【００２７】
ロッキング椅子フレーム１１は、図２、図４、図９に示すように、バックレストフレーム１３と、座部フレーム１４と、脚部を構成する前脚フレーム１５及び後脚フレーム１６と、アームレスト１７と、連結リンク１８と、レッグレストフレーム１９と、Ｓ字ばね２０とを備えている。
【００２８】
取り外し可能なクッション部材１２は、バックレストクッション部１２ａと座部クッション部１２ｂが連結されている。
そして、バックレストクッション部１２ａの上部背面にはバックレストフレーム１３の上部に被せる袋状部（図示しない）が形成されており、この袋状部をバックレストフレーム１３の上部に被せることにより、バックレストクッション部１２ａと座部クッション部１２ｂがそれぞれバックレストフレーム１３と座部フレーム１４に装着されるようになっている。
【００２９】
バックレストフレーム１３は、図２に示すように、金属製のパイプを折り曲げて下方が開放するＵ字状に形成されており、複数（図２の例では２本）のＳ字状ばね２０が取り付けられている。
【００３０】
座部フレーム１４は、図１１に示すように、金属製のパイプを折り曲げて一方（図１１において右側）が開放するＵ字状に形成されており、複数（図２、図１１の例では２本）のＳ字状ばね２０が取り付けられている。
また、座部フレーム１４の開放する側の両端部は下方に鈍角状に折り曲げられた湾曲部１４ｃが形成されており、この鈍角状に折り曲げられた湾曲部１４ｃ端部には連結棒１４ａが取り付けられている。
さらに、座部フレーム１４の対向する側部の内側には案内ロッド１４ｂが配置され、案内ロッド１４ｂの基端側はＵ字状に折り曲げられており、その端部が座部フレーム１４の対向する側部の内側に固定されている。
また、図４に示すように、座部フレーム１４の対向する側部の略中間部の前側部位がピンＰ３によって前脚フレーム１５の略中間部に枢支されている。
【００３１】
前脚フレーム１５は、図１、図２に示すように、金属製のパイプを折り曲げて上方が開放するＵ字状に形成されており、床に接する部分には、一対の揺動バー３０，３０の前方が固着手段４０により直接取り付けられている。
また、前脚フレーム１５は、長さ方向の途中から前方に滑らかに屈曲している。
【００３２】
後脚フレーム１６も、図１、図２に示すように、前脚フレーム１５と同様に、金属製のパイプを折り曲げて上方が開放するＵ字状に形成されており、床に接する部分には、一対の揺動バー３０，３０の後方が固着手段４０により直接取り付けられている。
また、後脚フレーム１６は、長さ方向の途中から後方に滑らかに屈曲している。
【００３３】
そして、図４に示すように、前脚フレーム１５と後脚フレーム１６との左右上端部は交差しており、この交差部は後述する傾倒位置決め用の第１ピンＰ１によって枢支されている。
【００３４】
アームレスト１７は、図１０に示すように、樹脂材により内部が中空に一体成形されている。
このアームレスト１７の後側は第２ピンＰ２によりバックレストフレーム１３に枢支され、これにより前側が第２ピンＰ２を支点として、仮想線で示すように上方回動できるようになっている。
【００３５】
アームレストフレーム１７の側部の各内面には、図１０（Ａ）、図１０（Ｂ）に示すように、側面視で鋸刃状をなす複数個の係止突起１７ａが形成された係止部１７ｂが設けられている。
図１０（Ａ）、図１０（Ｂ）に示すように、係止突起１７ａ間には前述した第１ピンＰ１の両端部Ｐ１ａが係止され、これによりバックレスト１３の傾倒位置、すなわち傾倒角度が決定される。
このように第１ピンＰ１の両端部Ｐ１ａが前後方向に移動され、係止突起１７ａ間に係止されるとき、係止突起１７ａの先端部が鋸刃状に形成されているので、第１ピンＰ１の両端部Ｐ１ａの移動及び係止が容易かつ確実に行うことができる。
【００３６】
連結リンク１８は、図４、図９に示すように、その上方に第４ピンＰ４を備え、その下方に第５ピンＰ５を備えている。
そして、図９に示すように、座部フレーム１４の対向する側部の後端部位が第４ピンＰ４によってバックレストフレーム１３の下端近傍に枢支され、後脚フレーム１６の略中間部よりやや下方の部位が第５ピンＰ５によって連結リンク１８に枢支されている。
【００３７】
レッグレストフレーム１９は、図１２に示すように、金属製のパイプにより後端側が開放されてＵ字状に形成されており、複数（図１２の例では２本）のＳ字状ばね２０が取り付けられている。
また、レッグレストフレーム１９の開放する側の両端部近傍には連結棒１９ａが取り付けられている。
そして、連結棒１９ａの両端部から突出する軸１９ｂの先端にはそれぞれ円形当接部材１９ｃが取り付けられ、円形当接部材１９ｃはレッグレストフレーム１９の対向する側部の外側に位置している。
【００３８】
図１１に示す座部フレーム１４と図１２に示すレッグレストフレーム１９は、図１３（Ａ）、図１３（Ｂ）、図１３（Ｃ）に示すように、組み立てられている。
【００３９】
図１３（Ａ）は、レッグレストフレーム１９が座部フレーム１４の前方に最大限引き出された状態を示しており、図１３（Ｂ）はレッグレストフレーム１９が座部フレーム１４の前方に最大限引き出された状態を示す側面図である。
また、図１３（Ｃ）はレッグレストフレーム１９が座部フレーム１４の下方に完全に押し込まれた状態を示す側面図である。
【００４０】
レッグレストフレーム１９は、図１３（Ａ）、図１３（Ｂ）、図１３（Ｃ）に示すように、座部フレーム１４の連結棒１４ａにより下方から支持されるとともに、座部フレーム１４の案内ロッド１４ｂの自由端が中空状のレッグレストフレーム１９の内部に挿入され、案内ロッド１４ｂに案内されて座部フレーム１４に対して前後方向に引き出され、あるいは押し込まれる。
【００４１】
レッグレストフレーム１９が座部フレーム１４に対して前後方向に引き出され、あるいは押し込まれる際、レッグレストフレーム１９の円形当接部材１９ｃは座部フレーム１４の下面に沿って移動する。
そして、図１３（Ａ）、図１３（Ｂ）に示すように、レッグレストフレーム１９が座部フレーム１４の前方に最大限に引き出されると、円形当接部材１９ｃは座部フレーム１４の湾曲部１４ｃの基端部に滑らかに当接する。
すなわち鈍角状の湾曲部１４ｃにより徐々に停止していくので、強く引き出しても衝撃がない。
そしてレッグレストフレーム１９は円形当接部材１９ｃと連結棒１４ａにより片持ち状に支持される。
この状態でレッグレストフレーム１９の先端に荷重を加えても、円形当接部材１９ｃが座部フレーム１４の下面に当たって支えるため、レッグレストフレーム１９の先端はこれ以上下がらない。
また、図１３（Ｃ）に示すように、レッグレストフレーム１９が座部フレーム１４の下方に完全に押し込まれた状態のとき、レッグレストフレーム１９の前端部は連結棒１４ａにより支持されるとともに、その後端部は案内ロッド１４ｂの基端部側に当接している。
【００４２】
ロッキング椅子フレーム１１は、次のように、全体を折り畳むことができる。
【００４３】
ロッキング椅子１０のロッキング椅子フレーム１１は、バックレストフレーム１３、レッグレストフレーム１９を含む座部フレーム１４、前脚フレーム１５、後脚フレーム１６、アームレスト１７のそれぞれが、第１ピンＰ１〜第５ピンＰ５のいずれかを介し、相互に枢動可能に枢支されているので、バックレストフレーム１３と座部フレーム１４とを合わせるように折り畳むと、図１４（Ａ）に示すように、ロッキング椅子フレーム１１全体を折り畳むことができる。
さらに、図１４（Ｂ）に示すように、図１４（Ａ）に示すロッキング椅子フレーム１１全体を折り畳んだ状態の上にクッション部材１２を載置すると、ロッキング椅子１０をコンパクトにまとめることができる。
このため、ロッキング椅子１０は、持ち運びや設置等の取り扱いが容易となり、また、不使用時の保管に際しスペースを取らない。
【００４４】
本発明の実施の形態に係るアームレスト操作式のリクライニング機能を有するロッキング椅子１０によれば、次のような効果を有する。
【００４５】
座部フレーム１４とバックレストフレーム１３とアームレスト１７と前脚フレーム１５と後脚フレーム１６とを有するロッキング椅子フレーム１１に、一対の揺動バー３０，３０が取り付けられるロッキング椅子１０であって、前脚フレーム１５及び後脚フレーム１６は、金属製のパイプを折り曲げて上方が開放するＵ字状に形成され、一対の揺動バー３０，３０は、前脚フレーム１５及び後脚フレーム１６の床面に対向する部分に、固着手段４０により取り外し自在に直接取り付けられているので、一対の揺動バー３０，３０を取り付けるのに、余分な部品を必要としないだけでなく、一対の揺動バー３０，３０に対して、前脚フレーム１５及び後脚フレーム１６を安定的かつ強固に取り付けることができる。
【００４６】
また、一対の揺動バー３０，３０は、下方に向けて曲率半径の比較的大きい凸曲面を有する円弧形状を呈しており、その後端側は上方に向けて曲率半径の比較的小さい凸曲面を有する円弧形状の反転円弧部３０ｆを備えているので、ロッキング椅子１０を使用して揺動させるとき、この反転円弧部３０ｆの後端が床面に当接し、後方への揺れ過ぎによる後方への転倒を防止できる。
【００４７】
レッグレストフレーム１９が座部フレーム１４の前方から引き出し可能であるので、バックレストフレーム１３の傾倒角度に関係なく、レッグレスト部分の長さ（奥行き）を着座者の体格や好みに応じて調整することができる。
【００４８】
また、前脚フレーム１５と後脚フレーム１６の開脚時に、座部フレーム１４の前方端が後方端より高く傾斜しているので、着座者が安定して着座できるだけでなく、座部フレーム１４の下方にレッグレストフレーム１９を収納する際に容易に押し込むことができる。
【００４９】
また、前脚フレーム１５は長さ方向の途中から前方に滑らかに屈曲し、後脚フレーム１６は長さ方向の途中から後方に滑らかに屈曲しているので、着座時にロッキング椅子１０が安定する。
【００５０】
また、座部フレーム１４は、その対向する側部の略中間部の前側部位が第３ピンＰ３によって前脚フレーム１５の略中間部に枢支され、その対向する側部の後端部位が第４ピンＰ４によってバックレストフレーム１３の下端近傍に枢支され、後脚フレーム１６の略中間部よりやや下方の部位が第５ピンＰ５によって連結リンク１８に枢支され、一対の揺動バー３０，３０を取り外すと、前脚フレーム１５と後脚フレーム１６の交差部である第１ピンＰ１ないし第５ピンＰ５を枢軸として、一対の揺動バー３０，３０以外のロッキング椅子フレーム１１が折り畳まれるので、持ち運びや設置等の取り扱いが容易となり、また、不使用時の保管に際しスペースを取らない。
【産業上の利用可能性】
【００５１】
本発明の実施の形態では、リクライニング機能を有するロッキング椅子フレーム１１において、前脚フレーム１５及び後脚フレーム１６の床面に対向する部分が、一対の揺動バー３０，３０に固着手段４０により取り外し自在に直接取り付けられる例を示しているが、リクライニング機能を有しない椅子においても、前脚フレーム及び後脚フレームの床面に対向する部分に一対の揺動バー３０，３０を固着手段４０により取り外し自在に直接取り付けることもできる。
【符号の説明】
【００５２】
１０  ロッキング椅子
１１  ロッキング椅子フレーム
１２  クッション部材
１２ａ  バックレストクッション部
１２ｂ  座部クッション部
１３  バックレストフレーム
１４  座部フレーム
１４ａ  連結棒
１４ｂ  案内ロッド
１４ｃ  湾曲部
１５  前脚フレーム
１５ａ  雌ねじ部
１６  後脚フレーム
１７  アームレスト
１７ａ  係止突起
１７ｂ  係止部
１８  連結リンク
１９  レッグレストフレーム
１９ａ  連結棒
１９ｂ  軸
１９ｃ  円形当接部材
１９ｄ  レッグレストクッション部材
２０  Ｓ字ばね
Ｐ１〜Ｐ５  第１ピン〜第５ピン
Ｐ１ａ  第１ピンＰ１の両端部
３０  揺動バー
３０ａ  前脚フレーム及び後脚フレームの嵌め込み溝
３０ｂ  ボルト挿入孔
３０ｃ  座ぐり部
３０ｄ  埋め込みナットのつば部の座ぐり部
３０ｆ  反転円弧部
４０  固着手段
４１  六角穴付きボルト（ボルト）
４２  袋ナット（ナット）
４３  埋め込みナット（ナット）
４４  座金
４５  ばね座金
【図１】
2013240461.tif 000003
【図２】
2013240461.tif 000004
【図３】
2013240461.tif 000005
【図４】
2013240461.tif 000006
【図５】
2013240461.tif 000007
【図６】
2013240461.tif 000008
【図７】
2013240461.tif 000009
【図８】
2013240461.tif 000010
【図９】
2013240461.tif 000011
【図１０】
2013240461.tif 000012
【図１１】
2013240461.tif 000013
【図１２】
2013240461.tif 000014
【図１３】
2013240461.tif 000015
【図１４】
2013240461.tif 000016